(57)【要約】【課題】旅客が必要なタイミングにフライト情報を得られるようにすることを目的とする。【解決手段】複数の便について、便名、行き先、出発時刻等を含むフライト情報がタッチパネル式の表示装置５０に表示される。そして、表示装置５０に表示されたフライト情報の表示言語は、予め定められた表示時間が経過する毎に順に切り替えられるとともに、表示装置５０に表示されたフライト情報の表示言語は、利用者が表示装置５０にタッチした場合に、表示時間が経過したか否かに関わらず切り替えられる。【選択図】図１
2014206898.tif 000002
【特許請求の範囲】
【請求項１】
フライト情報をタッチパネル式の表示装置に表示するフライト情報表示部と、
前記フライト情報表示部が表示するフライト情報の表示言語を、予め定められた表示時間が経過する毎に順に切り替えるとともに、利用者が前記表示装置にタッチした場合に、前記表示時間が経過したか否かに関わらず前記表示言語を切り替える言語切替部と
を備えることを特徴とするフライト情報表示装置。 
【請求項２】
前記フライト情報表示装置は、さらに、
便毎に、言語の識別情報を記憶した言語記憶部
を備え、
前記フライト情報表示部は、複数の便についてのフライト情報を表示し、
前記言語切替部は、利用者が前記表示装置にタッチした場合、タッチされた部分に表示された便に対して前記言語記憶部が記憶した識別情報が示す言語に、フライト情報の表示言語を切り替える
ことを特徴とする請求項１に記載のフライト情報表示装置。
【請求項３】
前記言語記憶部は、便の行き先毎に、言語の識別情報を記憶し、
前記言語切替部は、利用者が前記表示装置にタッチした場合、タッチされた部分に表示された便の行き先に対して前記言語記憶部が記憶した識別情報が示す言語に、フライト情報の表示言語を切り替える
ことを特徴とする請求項２に記載のフライト情報表示装置。
【請求項４】
前記言語記憶部は、便の航空会社毎に、言語の識別情報を記憶し、
前記言語切替部は、利用者が前記表示装置にタッチした場合、タッチされた部分に表示された便の航空会社に対して前記言語記憶部が記憶した識別情報が示す言語に、フライト情報の表示言語を切り替える
ことを特徴とする請求項３に記載のフライト情報表示装置。
【請求項５】
前記言語切替部は、利用者が前記表示装置にタッチの仕方に応じて、前記表示装置に表示された全てのフライト情報の表示言語を切り替えるか、タッチされた部分に表示された便のフライト情報の表示言語を切り替えるかを切り替える
ことを特徴とする請求項２から４までのいずれかに記載のフライト情報表示装置。
【請求項６】
前記フライト情報表示部は、複数の便についての便のフライト情報を表示し、
前記フライト情報表示装置は、さらに、
利用者が前記表示装置をスワイプ操作した場合、フライト情報をスクロールさせて表示するフライト情報スクロール部
を備えることを特徴とする請求項１から５までのいずれかに記載のフライト情報表示装置。
【請求項７】
前記フライト情報表示部は、複数の便それぞれについて、その便のフライトステータスを含むフライト情報を表示し、
前記フライト情報スクロール部は、利用者が前記表示装置をスワイプ操作した場合、前記表示装置に表示されたフライト情報のうち、所定のフライトステータスのフライト情報はスクロールさせない
ことを特徴とする請求項６に記載のフライト情報表示装置。
【請求項８】
前記フライト情報表示部は、複数の便についての便のフライト情報を表示し、
前記フライト情報表示装置は、さらに、
利用者が前記表示装置に表示された便の選択操作をした場合に、選択された便について前記フライト情報表示部が表示するフライト情報より詳細な情報を表示する詳細情報表示部
を備えることを特徴とする請求項１から７のいずれかに記載のフライト情報表示装置。
【請求項９】
フライト情報をタッチパネル式の表示装置に表示するフライト情報表示処理と、
前記情報表示処理で表示するフライト情報の表示言語を、予め定められた表示時間が経過する毎に順に切り替えるとともに、利用者が前記表示装置にタッチした場合に、前記表示時間が経過したか否かに関わらず前記表示言語を切り替える言語切替処理と
をコンピュータに実行させることを特徴とするフライト情報表示プログラム。
【発明の詳細な説明】
【技術分野】
【０００１】
この発明は、空港等において旅客向けにフライト情報を表示する技術に関する。
【背景技術】
【０００２】
空港には、フライト情報を表示する表示装置が設置されている。この表示装置では、予め定められた表示時間が経過する毎に、フライト情報の表示言語が、例えば、日本語、英語、中国語、韓国語の順に切り替えられて表示される。これにより、多くの旅客がフライト情報を理解できるようになっている。
しかし、旅客は、フライト情報が所望の言語で表示されるまでに長い時間待たなければならない場合がある。
【０００３】
特許文献１には、旅客が希望するフライト情報を旅客の携帯電話へ通知することが記載されている。これにより、旅客が容易にフライト情報を取得できるようにしている。
【先行技術文献】
【特許文献】
【０００４】
【特許文献１】特開２００２−２１５７３７号公報
【発明の概要】
【発明が解決しようとする課題】
【０００５】
特許文献１に記載された方法では、通知を希望するフライト情報を予め登録しておかなければならず、登録していなければフライト情報を取得することはできない。
この発明は、事前登録をすることなく、旅客が必要なタイミングにフライト情報を得られるようにすることを目的とする。
【課題を解決するための手段】
【０００６】
この発明に係るフライト情報表示装置は、
フライト情報をタッチパネル式の表示装置に表示するフライト情報表示部と、
前記フライト情報表示部が表示するフライト情報の表示言語を、予め定められた表示時間が経過する毎に順に切り替えるとともに、利用者が前記表示装置にタッチした場合に、前記表示時間が経過したか否かに関わらず前記表示言語を切り替える言語切替部と
を備えることを特徴とする。
【０００７】
前記フライト情報表示装置は、さらに、
便毎に、言語の識別情報を記憶した言語記憶部
を備え、
前記フライト情報表示部は、複数の便についてのフライト情報を表示し、
前記言語切替部は、利用者が前記表示装置にタッチした場合、タッチされた部分に表示された便に対して前記言語記憶部が記憶した識別情報が示す言語に、フライト情報の表示言語を切り替える
ことを特徴とする。
【０００８】
前記言語記憶部は、行き先毎に、言語の識別情報を記憶し、
前記言語切替部は、利用者が前記表示装置にタッチした場合、タッチされた部分に表示された便の行き先に対して前記言語記憶部が記憶した識別情報が示す言語に、フライト情報の表示言語を切り替える
ことを特徴とする。
【０００９】
前記言語記憶部は、航空会社毎に、言語の識別情報を記憶し、
前記言語切替部は、利用者が前記表示装置にタッチした場合、タッチされた部分に表示された便の航空会社に対して前記言語記憶部が記憶した識別情報が示す言語に、フライト情報の表示言語を切り替える
ことを特徴とする。
【００１０】
前記言語切替部は、利用者が前記表示装置にタッチの仕方に応じて、前記表示装置に表示された全てのフライト情報の表示言語を切り替えるか、タッチされた部分に表示された便のフライト情報の表示言語を切り替えるかを切り替える
ことを特徴とする。
【００１１】
前記フライト情報表示部は、複数の便についての便のフライト情報を表示し、
前記フライト情報表示装置は、さらに、
利用者が前記表示装置をスワイプ操作した場合、フライト情報をスクロールさせて表示するフライト情報スクロール部
を備えることを特徴とする。
【００１２】
前記フライト情報表示部は、複数の便それぞれについて、その便のフライトステータスを含むフライト情報を表示し、
前記フライト情報スクロール部は、利用者が前記表示装置をスワイプ操作した場合、前記表示装置に表示されたフライト情報のうち、所定のフライトステータスのフライト情報はスクロールさせない
ことを特徴とする。
【００１３】
前記フライト情報表示部は、複数の便についての便のフライト情報を表示し、
前記フライト情報表示装置は、さらに、
利用者が前記表示装置に表示された便の選択操作をした場合に、選択された便について前記フライト情報表示部が表示するフライト情報より詳細な情報を表示する詳細情報表示部
を備えることを特徴とする。
【００１４】
この発明に係るフライト情報表示プログラムは、
フライト情報をタッチパネル式の表示装置に表示するフライト情報表示処理と、
前記情報表示処理で表示するフライト情報の表示言語を、予め定められた表示時間が経過する毎に順に切り替えるとともに、利用者が前記表示装置にタッチした場合に、前記表示時間が経過したか否かに関わらず前記表示言語を切り替える言語切替処理と
をコンピュータに実行させることを特徴とする。
【発明の効果】
【００１５】
この発明に係るフライト情報表示装置は、フライト情報をタッチパネル式の表示装置に表示しておき、表示装置がタッチされると表示言語を切り替える。そのため、利用者は、所望の言語に自動的に切り替わることを待つことなく、表示装置をタッチすることにより、所望の言語でフライト情報を表示させることができる。したがって、利用者は、必要なタイミングにフライト情報を得ることができる。
【図面の簡単な説明】
【００１６】
【図１】実施の形態１に係るフライト情報表示システム１００の概要の説明図。
【図２】実施の形態１に係るフライト情報表示システム１００の構成図。
【図３】実施の形態１に係るフライト情報記憶部２１が記憶するフライト情報の例を示す図。
【図４】実施の形態１に係る定義情報記憶部２２が記憶する定義情報の例を示す図。
【図５】実施の形態１に係るフライト情報表示装置４０の構成図。
【図６】実施の形態１に係るフライト情報表示装置４０の動作の流れを示すフローチャート。
【図７】実施の形態２に係るフライト情報表示システム１００の概要の説明図。
【図８】実施の形態２に係る定義情報記憶部２２が記憶する定義情報の例を示す図。
【図９】実施の形態２に係るフライト情報表示装置４０の構成図。
【図１０】実施の形態２に係る言語記憶部４３が記憶する情報の例を示す図。
【図１１】実施の形態３に係るフライト情報表示システム１００の概要の説明図。
【図１２】実施の形態３に係る定義情報記憶部２２が記憶する情報の例を示す図。
【図１３】実施の形態３に係るフライト情報表示装置４０の構成図。
【図１４】実施の形態３に係るフライト情報表示装置４０の動作の流れを示すフローチャート。
【図１５】実施の形態４に係るフライト情報表示システム１００の概要の説明図。
【図１６】実施の形態４に係る定義情報記憶部２２が記憶する定義情報の例を示す図。
【図１７】実施の形態４に係るフライト情報表示装置４０の構成図。
【図１８】実施の形態４に係るフライト情報表示装置４０の動作の流れを示すフローチャート。
【図１９】実施の形態１〜４に示したフライト情報表示装置４０のハードウェア構成の例を示す図。
【発明を実施するための形態】
【００１７】
実施の形態１．
実施の形態１では、表示装置５０がタッチされた場合に、表示言語を切り替えるフライト情報表示システム１００について説明する。
【００１８】
図１は、実施の形態１に係るフライト情報表示システム１００の概要の説明図である。
フライト情報表示システム１００では、便名、行き先、出発時刻等のフライト情報がタッチパネル式の表示装置５０に表示され、利用者によって表示装置５０が操作された場合に、操作に応じてフライト情報の表示言語が制御される。
【００１９】
フライト情報の表示言語は、予め設定された表示時間（ここでは、一例として１０秒）が経過する毎に、自動的に、日本語、英語、中国語、韓国語の順に切り替えられる。
したがって、旅客が特に操作しなくても、しばらく待っていれば、所望の言語でフライト情報が表示される。しかし、例えば、フライト情報が英語で表示されている場合、フライト情報が日本語で表示されるまでには、２０秒以上かかる。そのため、旅客が急いでいる場合には、不便を感じることが懸念される。
【００２０】
そこで、フライト情報表示システム１００では、旅客がタッチパネル式の表示装置５０にタッチすると、表示時間が経過したか否かに関わらず、全てのフライト情報の表示言語が次の言語に切り替えられる。つまり、フライト情報の表示言語は、英語で表示されているときに、タッチされると中国語に切り替わり、さらにタッチされると韓国語に切り替わる。
これにより、旅客は、フライト情報が所望の言語に自動的に切り替わるまで待つことなく、フライト情報を所望の言語で表示させることができる。
【００２１】
図２は、実施の形態１に係るフライト情報表示システム１００の構成図である。
フライト情報表示システム１００は、フライト情報サーバ１０、フライト情報データベース２０、フライト情報管理端末３０、複数のフライト情報表示装置４０、フライト情報表示装置４０毎に設けられたタッチパネル式の表示装置５０を備える。
【００２２】
フライト情報サーバ１０は、外部システム２００と接続されており、外部システム２００から最新のフライト情報を取得して、フライト情報データベース２０に記憶する。
また、フライト情報サーバ１０は、フライト情報データベース２０に記憶したフライト情報を各フライト情報表示装置４０へ送信して、表示装置５０に表示させる。この際、フライト情報サーバ１０は、フライト情報データベース２０からフライト情報の表示制御を定義した定義情報を各フライト情報表示装置４０へ送信して、フライト情報表示装置４０に定義情報に従いフライト情報を表示させる。
また、フライト情報サーバ１０は、フライト情報管理端末３０からフライト情報の編集要求を受信し、受信した編集要求に従いフライト情報データベース２０に記憶したフライト情報を編集する。
【００２３】
フライト情報データベース２０は、フライト情報と定義情報とを記憶するデータベースである。フライト情報データベース２０は、フライト情報を記憶するためのフライト情報記憶部２１と、定義情報を記憶するための定義情報記憶部２２とを備える。
フライト情報記憶部２１には、所定の言語毎の最新のフライト情報が記憶される。例えば、日本語、英語、中国語、韓国語の４つの言語でフライト情報を表示する場合には、１つのフライトに関して４つの言語のフライト情報がフライト情報記憶部２１に記憶される。
外部システム２００から所定の言語毎のフライト情報を取得するように構成してもよいし、外部システム２００からは例えば日本語のフライト情報を取得し、フライト情報表示システム１００内で所定の言語毎のフライト情報を生成するように構成してもよい。外部システム２００からは、変更があったフライト情報が都度送信される。
【００２４】
フライト情報管理端末３０は、フライト情報の編集要求の入力を空港職員等から受け付ける。フライト情報管理端末３０は、受け付けた編集要求をフライト情報サーバ１０へ送信して、フライト情報を編集させる。
【００２５】
フライト情報表示装置４０は、フライト情報の表示制御を定義した定義情報に従い、フライト情報を接続された表示装置５０に表示する。
【００２６】
表示装置５０は、タッチパネル式であり、利用者にタッチ操作された場合に、操作内容をフライト情報表示装置４０へ通知する。
【００２７】
図３は、実施の形態１に係るフライト情報記憶部２１が記憶するフライト情報の例を示す図である。
フライト情報には、便名、行き先、出発時刻、到着時刻、機種、天気、写真等が含まれる。便名は、便の識別情報である。行き先は、便の到着地を示す。出発時刻は、便が出発地を出発する時刻である。到着時刻は、便が到着地に到着する時刻である。機種は、便で使用される航空機を示す。写真は、機種が示す航空機の写真である。
図３には、日本語のフライト情報のみ表示しているが、前述したようにフライト情報記憶部２１には１つのフライトに関して所定の言語毎のフライト情報が記憶されている。図示していないが、それぞれのフライト情報には言語種別情報が含まれる。
【００２８】
図４は、実施の形態１に係る定義情報記憶部２２が記憶する定義情報の例を示す図である。
定義情報には、画面定義情報と、操作定義情報とが含まれる。
画面定義情報には、表示装置ＩＤ、タッチ操作フラグ、言語切替情報等が含まれる。表示装置ＩＤは、表示装置５０の識別情報である。タッチ操作フラグは、タッチ操作を可能とするか否かを示す。つまり、表示装置５０毎に、タッチ操作を可能とするか否かが設定される。ここでは、表示装置ＩＤが１〜３の表示装置５０については、タッチ操作フラグがＯＮになっており、タッチ操作を可能としている。言語切替情報は、言語の切替順序を示す。つまり、表示装置５０毎に、表示する言語や、表示する順序が設定される。ここでは、全ての表示装置５０で、日本語、英語、中国語、韓国語の順に表示言語が切り替えられるものとしている。
操作定義情報には、表示装置ＩＤ、タッチ操作情報等が含まれる。表示装置ＩＤは、上述した通りである。タッチ操作情報は、タッチ操作による動作を示す。つまり、表示装置５０毎に、タッチ操作による動作が設定される。ここでは、表示装置ＩＤが１〜３の表示装置５０については、タッチ操作により、表示されている全てのフライト情報の表示言語を切り替えるものとしている。
【００２９】
図５は、実施の形態１に係るフライト情報表示装置４０の構成図である。
フライト情報表示装置４０は、フライト情報表示部４１、言語切替部４２を備える。
【００３０】
フライト情報表示部４１は、フライト情報サーバ１０から送信された、複数の便についてのフライト情報を表示装置５０に一覧表示する。
【００３１】
言語切替部４２は、フライト情報表示部４１が表示する全てのフライト情報の表示言語を、予め定められた表示時間（１０秒）が経過する毎に、画面定義情報に含まれる言語切替情報で規定された順に切り替える。
また、画面定義情報に含まれるタッチ操作フラグがＯＮになっている表示装置５０に接続されたフライト情報表示装置４０では、言語切替部４２は、旅客が表示装置５０にタッチした場合には、表示時間が経過したか否かに関わらず、フライト情報表示部４１が表示する全てのフライト情報の表示言語を次の言語に切り替える。
【００３２】
図６は、実施の形態１に係るフライト情報表示装置４０の動作の流れを示すフローチャートである。
まず、フライト情報表示装置４０は、フライト情報サーバ１０から最新のフライト情報と画面定義情報を取得する（Ｓ１）。次に言語切替部４２は、画面定義情報に含まれる言語切替情報を参照して、最初に表示すべき言語を決定し、決定した言語に対応したフライト情報を言語種別情報に基づき選別し、表示する（Ｓ２）。
次に、言語切替部４２は、Ｓ１で取得した画面定義情報のタッチ操作フラグに基づき、タッチ操作が可能に設定されている表示装置５０が接続されているか否かを判定する（Ｓ３）。言語切替部４２は、接続されている場合には（Ｓ３でＹＥＳ）、フライト情報サーバ１０から送信された操作定義情報を取得する（Ｓ４）。なお、言語切替部４２は、接続されていない場合（Ｓ３でＮＯ）、Ｓ４をスキップする。
そして、言語切替部４２は、画面定義情報に従い、現在の表示言語でフライト情報の表示を開始してから表示時間が経過する毎に、表示言語を次の言語に切り替える。また、言語切替部４２は、Ｓ４で操作定義情報を取得した場合には、表示装置５０がタッチされると、操作定義情報のタッチ操作情報に従い、フライト情報の表示言語を次の言語に切り替える（Ｓ５）。
【００３３】
なお、フライト情報表示装置４０は、定期的に、あるいは、フライト情報サーバ１０から新しいフライト情報が送信された場合には、処理をＳ１から再び開始して、最新のフライト情報を表示する。例えば、フライト情報表示装置４０は、ある言語への切替のタイミング（例えば、韓国語から日本語への切替のタイミング）で、処理をＳ１から再び開始して、最新のフライト情報を表示するようにしてもよい。
また、上記説明では、言語切替部４２は、日本語、英語、中国語、韓国語の４ヶ国語の切り替えをした。しかし、言語切替部４２は、４ヶ国語よりも少ない言語の切り替えを行ってもよいし、４ヶ国語よりも多い言語の切り替えを行ってもよい。また切り替える言語も日本語、英語、中国語、韓国語以外の任意の言語とすることができる。
【００３４】
以上のように、実施の形態１に係るフライト情報表示システム１００では、フライト情報をタッチパネル式の表示装置５０に表示しておき、表示装置５０がタッチされると表示言語を切り替える。そのため、旅客は、所望の言語に自動的に切り替わることを待つことなく、表示装置５０をタッチすることにより、所望の言語でフライト情報を表示させることができる。したがって、旅客は、必要なタイミングにフライト情報を得ることができる。
【００３５】
実施の形態２．
実施の形態２では、タッチ操作の内容に応じて、全てのフライト情報の表示言語を切り替えることと、指定したフライト情報の表示言語を切り替えることとを選択可能なフライト情報表示システム１００について説明する。
ここでは、実施の形態１と同じ内容については説明を省略し、主に異なる内容を説明する。
【００３６】
図７は、実施の形態２に係るフライト情報表示システム１００の概要の説明図である。
フライト情報表示システム１００では、実施の形態１と同様に、フライト情報がタッチパネル式の表示装置５０に表示され、利用者によって表示装置５０が操作された場合に、操作に応じてフライト情報の表示言語が制御される。
【００３７】
フライト情報の表示言語は、実施の形態１と同様に、予め設定された表示時間（１０秒）が経過する毎に、日本語、英語、中国語、韓国語の順に切り替えられる。
【００３８】
フライト情報表示システム１００では、旅客がタッチパネル式の表示装置５０にシングルタッチ（１箇所だけタッチ）すると、表示時間が経過したか否かに関わらず、全てのフライト情報の表示言語が次の言語に切り替えられる。
また、フライト情報表示システム１００では、旅客がタッチパネル式の表示装置５０にマルチタッチ（複数箇所をタッチ）すると、表示時間が経過したか否かに関わらず、表示されたフライト情報のうち、タッチした位置に表示された便のフライト情報の表示言語が切り替えられる。ここでは、タッチした位置に表示された便の行き先に応じて、フライト情報の表示言語が切り替えられる。
これにより、旅客は、フライト情報が所望の言語に自動的に切り替わるまで待つことなく、フライト情報を所望の言語で表示させることができる。また、自分の便の表示言語だけを切り替えることもできるため、複数の旅客が表示装置５０を見ている場合に、他の旅客へ迷惑をかけることなく、フライト情報を所望の言語で表示させることができる。
【００３９】
図８は、実施の形態２に係る定義情報記憶部２２が記憶する定義情報の例を示す図である。
定義情報には、画面定義情報と、操作定義情報とが含まれる。
画面定義情報には、表示装置ＩＤ、シングルタッチ操作フラグ、マルチタッチ操作フラグ、言語切替情報等が含まれる。表示装置ＩＤ及び言語切替情報は、上述した通りである。シングルタッチ操作フラグは、シングルタッチ操作を可能とするか否かを示し、マルチタッチ操作フラグは、マルチタッチ操作を可能とするか否かを示す。つまり、表示装置５０毎に、シングルタッチ操作やマルチタッチ操作を可能とするか否かが設定される。ここでは、表示装置ＩＤが１〜３の表示装置５０については、シングルタッチ操作フラグ及びマルチタッチ操作フラグがＯＮになっており、シングルタッチ操作及びマルチタッチ操作を可能としている。
操作定義情報には、表示装置ＩＤ、シングルタッチ操作情報、マルチタッチ操作情報等が含まれる。表示装置ＩＤは、上述した通りである。シングルタッチ操作情報は、シングルタッチ操作による動作を示す。つまり、表示装置５０毎に、シングルタッチ操作による動作が設定される。ここでは、表示装置ＩＤが１〜３の表示装置５０については、シングルタッチ操作により、表示されている全てのフライト情報の表示言語を切り替えるものとしている。マルチタッチ操作情報は、マルチタッチ操作による動作を示す。つまり、表示装置５０毎に、マルチタッチ操作による動作が設定される。ここでは、表示装置ＩＤが１の表示装置５０については、マルチタッチ操作により、タッチされたフライト情報の表示言語を切り替えるものとしている。
【００４０】
図９は、実施の形態２に係るフライト情報表示装置４０の構成図である。
フライト情報表示装置４０は、図５に示すフライト情報表示装置４０が備える構成に加え、言語記憶部４３を備える。
言語記憶部４３は、行き先毎に、言語の識別情報を記憶する記憶装置である。
図１０は、実施の形態２に係る言語記憶部４３が記憶する情報の例を示す図である。
言語記憶部４３は、行き先の地名毎に、言語の識別情報を記憶している。例えば、東京、大阪等、日本が行き先になっている場合には、言語の識別情報として日本語を示すＪＰが記憶されており、ニューヨーク等の英語圏が行き先になっている場合には、英語を示すＥＮが記憶されている。
【００４１】
なお、画面定義情報に含まれるタッチ操作フラグがＯＮになっている表示装置５０に接続されたフライト情報表示装置４０では、言語切替部４２は、旅客が表示装置５０にシングルタッチした場合には、フライト情報表示部４１が表示する全てのフライト情報の表示言語を次の言語に切り替え、マルチタッチした場合には、タッチされたフライト情報の行き先に対して言語記憶部４３が記憶した識別情報が示す言語に、タッチされたフライト情報の表示言語を切り替える。
【００４２】
実施の形態２に係るフライト情報表示装置４０の動作の流れは、図６に示す実施の形態１に係るフライト情報表示装置４０の動作の流れと同じである。
但し、Ｓ５では、言語切替部４２は、現在の表示言語でフライト情報の表示を開始してから表示時間が経過する毎に、表示言語を次の言語に切り替える。また、言語切替部４２は、Ｓ４で操作定義情報を取得した場合には、表示装置５０がシングルタッチされると、操作定義情報のシングルタッチ操作情報に従い、フライト情報の表示言語を次の言語に切り替え、表示装置５０がマルチタッチされると、操作定義情報のマルチタッチ操作情報に従い、フライト情報の表示言語を行き先に応じた言語に切り替える。
【００４３】
以上のように、実施の形態２に係るフライト情報表示システム１００では、タッチ操作に応じて、表示された全てのフライト情報の表示言語を切り替えるか、指定されたフライト情報の表示言語だけを切り替えるかを選択可能とした。そのため、複数の旅客が表示装置５０を見ている場合に、他の旅客へ迷惑をかけることなく、フライト情報を所望の言語で表示させることができる。
全てのフライト情報の表示言語を切り替える場合、フライト情報のヘッダ部分（図７では、便名、行き先、出発時間）を切り替えた言語と一致させるように構成すると、より利便性が向上する。このとき、Ｓ１で取得するフライト情報に、言語種別情報を付したヘッダ情報を含むように構成し、全てのフライト情報を切り替えるときに、決定した言語に対応したヘッダ情報に合わせて切り替えるように構成すればよい。
【００４４】
また、実施の形態２に係るフライト情報表示システム１００では、タッチされた便の行き先に応じた言語に表示言語を切り替える。タッチされた便の乗客は、タッチされた便の行き先へ帰る人（タッチされた便の行き先の言語を母国語とする人）も多く含まれており、タッチされた便の行き先で使用される言語での表示を望む人が多く含まれると考えられる。そのため、予め設定された順に１つずつ切り替えていくのではなく、タッチされた便の行き先に応じた言語に表示言語を１度の操作で切り替えることにより、旅客の利便性を向上させることができる。
さらに、行き先だけでなく経由地情報も表示装置５０に表示し、経由地情報に応じて表示言語を切り替えるように構成してもよい。この場合、フライト情報に含まれる経由地情報を表示装置５０に表示するとともに、図１０に示した言語記憶部４３の行き先毎の識別情報を行き先及び経由地毎の識別情報として、切り替えるフライト情報毎の表示言語を決定する。
【００４５】
なお、マルチタッチを繰り返すことで、タッチされた便の行き先で使用される言語から順（画面定義情報の言語切替情報に規定された順）に、タッチされた便の表示言語が切り替わるようにしておいてもよい。これにより、タッチされた便の表示言語だけを、タッチされた便の行き先で使用される言語以外の言語に切り替えることができる。
【００４６】
また、上記説明では、タッチされた便の行き先に応じた言語に表示言語を切り替えるとした。しかし、タッチされた便の航空会社に応じた言語に表示言語を切り替えてもよい。具体的には、タッチされた便の航空会社が日本の航空会社であれば、日本語に切り替えるようにし、中国の航空会社であれば中国語に切り替えるようにしてもよい。
この場合言語記憶部４３には、航空会社毎に、言語の識別情報を記憶する。そして図６のＳ５にて、マルチタッチ操作を認識すると、言語記憶部４３を参照することにより、マルチタッチで指定されたフライト情報の表示言語を、航空会社に対応した言語に変換して表示する。
日本の航空会社の便であれば、日本人が多く乗り、中国の航空会社の便であれば中国人が多く乗るものと考えられる。そのため、タッチされた便の航空会社に応じて言語を切り替えることにより、行き先によって言語を切り替える場合と同様に、旅客の利便性を向上させることができる。
また、本実施の形態では日本語、英語、中国語、韓国語の４つの言語で切り替えることにしたが、切り替え言語の中に到着地の言語を含むように構成してもよい。例えば、パリ行きのフライト情報は、４つのフライト情報の他にフランス語のフライト情報を現地語情報として、合わせ持つ。またベルリン行きのフライト情報は、４つのフライト情報の他にドイツ語のフライト情報を現地語情報として、合わせ持つ。
そして、日本語、英語、中国語、韓国語、現地語の５つの言語で切り替えるように構成し、現地語のときはフランス語または、ドイツ語のフライト情報を表示する。
【００４７】
実施の形態３．
実施の形態３では、スワイプされた場合に、フライト情報をスクロールして表示するフライト情報表示システム１００について説明する。
ここでは、実施の形態２と同じ内容については説明を省略し、主に異なる内容を説明する。
【００４８】
図１１は、実施の形態３に係るフライト情報表示システム１００の概要の説明図である。
フライト情報表示システム１００では、実施の形態２と同様に、フライト情報がタッチパネル式の表示装置５０に表示され、利用者によって表示装置５０が操作された場合に、操作に応じてフライト情報の表示言語が制御される。
【００４９】
フライト情報表示システム１００では、多数の便のフライト情報を上下方向に並べて一覧表示する。しかし、全てのフライト情報を１つの画面に表示することはできず、通常出発時刻が近い便から数十件の便のフライト情報を表示する。
しかし、空港に早く到着する旅客もおり、旅客が知りたい便のフライト情報が表示されていない場合もある。
【００５０】
そこで、フライト情報表示システム１００では、旅客がタッチパネル式の表示装置５０を上下にスワイプした場合には、フライト情報を上下にスクロールさせ、出発時刻が迫っていない便のフライト情報も表示する。これにより、旅客が知りたい便のフライト情報が表示される。
特に、フライト情報表示システム１００は、便が搭乗中であるか等を示すフライトステータスが予め定められたステータスになっている便のフライト情報については、スクロールさせず表示したままにする。これにより、ある旅客がフライト情報をスクロールさせている場合であっても、一部の重要なステータスの便についてはフライト情報が表示されており、他の旅客がその便についてのフライト情報を見逃すことを防止できる。
【００５１】
図１２は、実施の形態３に係る定義情報記憶部２２が記憶する情報の例を示す図である。
定義情報には、画面定義情報と、操作定義情報と、スクロール定義情報とが含まれる。
画面定義情報には、図４に示す情報に加え、スワイプ操作フラグが含まれる。スワイプ操作フラグは、スワイプ操作を可能とするか否かを示す。つまり、表示装置５０毎に、スワイプ操作を可能とするか否かが設定される。ここでは、表示装置ＩＤが１，２の表示装置５０については、スワイプ操作フラグがＯＮになっており、スワイプ操作を可能としている。
操作定義情報には、図８に示す情報に加え、スワイプ操作情報が含まれる。スワイプ操作情報は、スワイプ操作による動作を示す。つまり、表示装置５０毎に、スワイプ操作による動作が設定される。ここでは、表示装置ＩＤが１，２の表示装置５０については、スワイプ操作によりフライト情報がスクロール表示されるものとしている。
スクロール定義情報には、行き先種別、条件が含まれる。行き先種別は、国内線か国際線か等の行き先の種別を示す。条件は、フライトステータスのうち、スクロールさせないステータスを示す。
【００５２】
図１３は、実施の形態３に係るフライト情報表示装置４０の構成図である。
フライト情報表示装置４０は、図９に示すフライト情報表示装置４０が備える構成に加え、フライト情報スクロール部４４を備える。
フライト情報スクロール部４４は、表示装置５０を上下にスワイプされた場合に、フライト情報をスクロールさせる。特に、フライト情報スクロール部４４は、スクロール定義情報で規定されたスクロールさせないステータスの便を除いた、他の便のフライト情報についてのみスクロールさせる。
【００５３】
図１４は、実施の形態３に係るフライト情報表示装置４０の動作の流れを示すフローチャートである。
Ｓ１１からＳ１４は、図６に示すＳ１からＳ４と同じである。
Ｓ１４に続き、フライト情報スクロール部４４は、Ｓ１１で取得した画面定義情報のスワイプ操作フラグに基づき、スワイプ操作が可能に設定されている表示装置５０が接続されているか否かを判定する（Ｓ１５）。フライト情報スクロール部４４は、接続されている場合には（Ｓ１５でＹＥＳ）、フライト情報サーバ１０から送信されたスクロール定義情報を取得する（Ｓ１６）。なお、フライト情報スクロール部４４は、接続されていない場合（Ｓ１５でＮＯ）、Ｓ１６をスキップする。
そして、言語切替部４２は、実施の形態２におけるＳ５と同じ動作をするとともに、フライト情報スクロール部４４は、Ｓ１６でスクロール定義情報を取得した場合には、表示装置５０が上下にスワイプされると、操作定義情報のスワイプ操作情報に従い、フライト情報をスクロールさせる（Ｓ１７）。この際、フライト情報スクロール部４４は、フライト情報に付加されているステータスを参照することにより、Ｓ１６で取得したスクロール定義情報で規定されたスクロールさせないステータスの便を除いた、他の便のフライト情報についてのみスクロールさせる。
なお図１１には図示していないが、表示するフライト情報の中に「搭乗中」、「搭乗最終」等のステータスを表示してもよい。そのように構成すると、旅客にスクロールしないフライト情報のステータスが明示できる。
【００５４】
以上のように、実施の形態３に係るフライト情報表示システム１００では、表示装置５０が上下にスワイプされるとフライト情報をスクロールさせる。そのため、出発時刻が迫っていない便のフライト情報を表示させることができる。
【００５５】
また、実施の形態３に係るフライト情報表示システム１００では、フライトステータスが予め定められたステータスになっている便のフライト情報については、スクロールさせず表示したままにする。そのため、ある旅客がフライト情報をスクロールさせている場合であっても、一部の重要なステータスの便についてはフライト情報が表示されており、他の旅客がその便についてのフライト情報を見逃すことを防止できる。
【００５６】
実施の形態４．
実施の形態４では、タッチされたフライト情報の詳細な情報を表示するフライト情報表示システム１００について説明する。
ここでは、実施の形態３と同じ内容については説明を省略し、主に異なる内容を説明する。
【００５７】
図１５は、実施の形態４に係るフライト情報表示システム１００の概要の説明図である。
フライト情報表示システム１００では、実施の形態３と同様に、フライト情報がタッチパネル式の表示装置５０に表示され、利用者によって表示装置５０が操作された場合に、操作に応じてフライト情報の表示言語が制御される。
【００５８】
フライト情報表示システム１００は、多数の便のフライト情報を一覧表示する。そのため、各便については、フライト情報として持っている全ての情報を表示することはできず、便名、行き先、出発時刻等の一部の情報のみが表示される。
一般的には、一覧表示されている情報で十分であるが、旅客が知りたい情報が表示されていない場合もある。
【００５９】
そこで、フライト情報表示システム１００では、旅客がタッチパネル式の表示装置５０にダブルタッチ（連続して２回タッチ、選択操作の一例）すると、タッチした位置に表示された便のフライト情報を詳細に表示する。つまり、タッチした位置に表示された便について、便名、行き先、出発時刻だけでなく、到着時刻、機種、天気、写真等も表示する。
これにより、旅客が知りたい情報を得ることができる。
【００６０】
図１６は、実施の形態４に係る定義情報記憶部２２が記憶する定義情報の例を示す図である。
定義情報には、画面定義情報と、操作定義情報と、スクロール定義情報と、詳細表示定義情報とが含まれる。スクロール定義情報は、図１２に示すものと同じである。
画面定義情報には、図１２に示す情報に加え、ダブルタッチ操作フラグが含まれる。ダブルタッチ操作フラグは、ダブルタッチ操作を可能とするか否かを示す。つまり、表示装置５０毎に、ダブルタッチ操作を可能とするか否かが設定される。ここでは、表示装置ＩＤが１，２の表示装置５０については、ダブルタッチ操作フラグがＯＮになっており、ダブルタッチ操作を可能としている。
操作定義情報には、図１２に示す情報に加え、ダブルタッチ操作情報が含まれる。ダブルタッチ操作情報は、ダブルタッチ操作による動作を示す。つまり、表示装置５０毎に、ダブルタッチ操作による動作が設定される。ここでは、表示装置ＩＤが１，２の表示装置５０については、ダブルタッチ操作により、タッチされたフライト情報の詳細情報の表示に切り替えるものとしている。
詳細表示定義情報には、行き先種別、時間、表示情報等が含まれる。行き先種別は、上述した通りである。時間は、出発までの何時間を示す。表示情報は、表示する詳細情報を示す。
【００６１】
図１７は、実施の形態４に係るフライト情報表示装置４０の構成図である。
フライト情報表示装置４０は、図１３に示すフライト情報表示装置４０が備える構成に加え、詳細情報表示部４５を備える。
詳細情報表示部４５は、表示装置５０に表示された便をダブルタッチされた場合に、タッチされた便についてのより詳細な情報を表示する。特に、詳細情報表示部４５は、タッチされた便の行き先種別、出発までの時間に応じた詳細な情報を表示する。
【００６２】
図１８は、実施の形態４に係るフライト情報表示装置４０の動作の流れを示すフローチャートである。
Ｓ２１からＳ２６は、図１４に示すＳ１１からＳ１６と同じである。
Ｓ２６に続き、詳細情報表示部４５は、Ｓ２１で取得した画面定義情報のダブルタッチ操作フラグに基づき、ダブルタッチ操作が可能に設定されている表示装置５０が接続されているか否かを判定する（Ｓ２７）。詳細情報表示部４５は、接続されている場合には（Ｓ２７でＹＥＳ）、フライト情報サーバ１０から送信された詳細表示定義情報を取得する（Ｓ２８）。なお、詳細情報表示部４５は、接続されていない場合（Ｓ２７でＮＯ）、Ｓ２８をスキップする。
そして、言語切替部４２及びフライト情報スクロール部４４は、実施の形態３におけるＳ１７と同じ動作をするとともに、詳細情報表示部４５は、Ｓ２８で詳細表示定義情報を取得した場合には、操作定義情報のダブルタッチ操作情報に従い、タッチされたフライト情報の詳細情報の表示に切り替える（Ｓ２９）。この際、詳細情報表示部４５は、Ｓ２８で取得した詳細表示定義情報で規定された行き先種別、出発までの時間に応じた詳細情報を表示させる。
【００６３】
以上のように、実施の形態４に係るフライト情報表示システム１００では、ダブルタッチされたフライト情報の詳細な情報を表示する。そのため、旅客が知りたい情報を得ることができる。
【００６４】
なお、上記説明では、シングルタッチ、マルチタッチ、ダブルタッチ、スワイプを各種処理に割り当てた。この割り当ては適宜変更してもよいし、他の操作を各種処理に割り当ててもよい。
【００６５】
また、上記説明では、フライト情報サーバ１０は定義情報を各フライト情報表示装置４０へ送信するとした。ここで、図４に示すように、定義情報は、表示装置５０毎に規定されているため、送信先のフライト情報表示装置４０に必要な定義情報だけをフライト情報表示装置４０へ送信するようにしてもよい。
【００６６】
図１９は、実施の形態１〜４に示したフライト情報表示装置４０のハードウェア構成の例を示す図である。
フライト情報表示装置４０はコンピュータであり、フライト情報表示装置４０の各要素をプログラムで実現することができる。
フライト情報表示装置４０のハードウェア構成としては、バスに、演算装置９０１、外部記憶装置９０２、主記憶装置９０３、通信装置９０４、入出力装置９０５が接続されている。
【００６７】
演算装置９０１は、プログラムを実行するＣＰＵ（Ｃｅｎｔｒａｌ  Ｐｒｏｃｅｓｓｉｎｇ  Ｕｎｉｔ）等である。
外部記憶装置９０２は、例えばＲＯＭ（Ｒｅａｄ  Ｏｎｌｙ  Ｍｅｍｏｒｙ）やフラッシュメモリ、ハードディスク装置等である。
主記憶装置９０３は、ＲＡＭ（Ｒａｎｄｏｍ  Ａｃｃｅｓｓ  Ｍｅｍｏｒｙ）等である。
通信装置９０４は、ネットワークカード等である。
入出力装置９０５は、例えばマウス、キーボード、ディスプレイ装置等である。
【００６８】
プログラムは、通常は外部記憶装置９０２に記憶されており、主記憶装置９０３にロードされた状態で、順次演算装置９０１に読み込まれ、実行される。
プログラムは、「フライト情報表示部４１」、「言語切替部４２」、「フライト情報スクロール部４４」、「詳細情報表示部４５」として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、「フライト情報表示部４１」、「言語切替部４２」、「フライト情報スクロール部４４」、「詳細情報表示部４５」の機能を実現するプログラムを実行する。
また、アプリケーション１０８も外部記憶装置９０２に記憶されており、主記憶装置９０３にロードされた状態で、順次演算装置９０１により実行される。
また、実施の形態１〜４の説明において、「〜の判定」、「〜の表示」、「〜の切り替え」、「〜の送信」等として説明している処理の結果を示す情報やデータや信号値や変数値が主記憶装置９０３にファイルとして記憶されている。
【００６９】
なお、図１９の構成は、あくまでもフライト情報表示装置４０のハードウェア構成の一例を示すものであり、フライト情報表示装置４０のハードウェア構成は図１９に記載の構成に限らず、他の構成であってもよい。
また、実施の形態１〜４に示したフライト情報サーバ１０、フライト情報データベース２０、フライト情報管理端末３０も、図１９のハードウェア構成をしていてもよいし、他のハードウェア構成であってもよい。
【符号の説明】
【００７０】
１０  フライト情報サーバ、２０  フライト情報データベース、２１  フライト情報記憶部、２２  定義情報記憶部、３０  フライト情報管理端末、４０  フライト情報表示装置、４１  フライト情報表示部、４２  言語切替部、４３  言語記憶部、４４  フライト情報スクロール部、４５  詳細情報表示部、５０  表示装置、１００  フライト情報表示システム、２００  外部システム。
【図１】
2014206898.tif 000003
【図２】
2014206898.tif 000004
【図３】
2014206898.tif 000005
【図４】
2014206898.tif 000006
【図５】
2014206898.tif 000007
【図６】
2014206898.tif 000008
【図７】
2014206898.tif 000009
【図８】
2014206898.tif 000010
【図９】
2014206898.tif 000011
【図１０】
2014206898.tif 000012
【図１１】
2014206898.tif 000013
【図１２】
2014206898.tif 000014
【図１３】
2014206898.tif 000015
【図１４】
2014206898.tif 000016
【図１５】
2014206898.tif 000017
【図１６】
2014206898.tif 000018
【図１７】
2014206898.tif 000019
【図１８】
2014206898.tif 000020
【図１９】
2014206898.tif 000021